(57)【特許請求の範囲】
【請求項１】
受信した無線信号をディジタル信号に復調する復調手段と、該復調したディジタル信号に対して再生を行う再生モードと該ディジタル信号に対する評価を行う評価モードを切り換えるモード選択手段と、該評価モードにともない供給されるディジタル信号に対して所定のタイミングで該ディジタル信号のレベルを反転させて、該レベル反転によりエラーデータを生成するエラー生成手段とを備え、
該エラー生成手段は、前記所定のタイミングでパルス信号を出力するパルス出力手段と、該パルス信号の送出に応じて前記供給されるディジタル信号のレベルを反転させる反転手段と、前記パルス信号の送出タイミングを決めるカウント値を該装置の外部から設定され、該カウント値を保持するとともに、前記パルス出力手段に該カウント値を供給するカウント値保持手段を含み、
前記モード選択手段は、前記ディジタル信号に含まれるエラーを検出するエラー検出手段に接続され、
該エラー検出手段は、前記パルス出力手段に前記ディジタル信号のうち、収容する受信データに対する検査データが収容される範囲を示す出力タイミングを供給することを特徴とする受信装置。
【請求項２】
請求項１に記載の装置において、前記モード選択手段は、前記ディジタル信号に含まれる同期パターンを検出する同期パターン検出手段に接続され、
該同期パターン検出手段は、前記パルス出力手段に前記ディジタル信号のうち、前記同期パターン以降に収容する受信データの範囲を示す出力タイミングを供給することを特徴とする受信装置。
【請求項３】
請求項２に記載の装置において、該装置は、前記ディジタル信号に含まれるエラーを検出するエラー検出手段が配設され、該エラー検出手段と前記同期パターン検出手段とからそれぞれ供給される出力タイミングを選択するタイミング選択手段を含むことを特徴とする受信装置。
【発明の詳細な説明】
【０００１】
【発明の属する技術分野】
本発明は、受信装置に関し、無線通信にて使用する受信回路に用いて好適なものである。
【０００２】
【従来の技術】
供給される信号を受信し、この受信信号に信号処理を施す機器において信号の高品質化が望まれている。たとえば、携帯電話機のような無線装置の場合、受信したデータにエラーが含まれていると、このデータに基づく再生した音声信号にはノイズが異音として生じてしまう。このため、無線装置は、受信信号を復調回路で復調し、この復調により得られるデータを受信レジスタおよびエラー検出回路に供給する。エラー検出回路は、復調したデータに対するエラー検出を行い、コーデック回路にエラー検出情報を送っている。
【０００３】
コーデック回路は、受信レジスタから供給される復調したデータに対するエラー検出情報に応じて異音の防止または抑制を行う処理を行うとともに、音声信号を再生出力している。コーデック回路は、異音の防止または抑制処理としてエラーデータに対応する音声信号の振幅を制限したり、ミュートすることにより該当位置の音声信号を無音にしている。
【０００４】
【特許文献１】
特開平７−２２６７３９号公報。
【０００５】
【発明が解決しようとする課題】
このようなコーデック回路の処理を適用した無線装置には、音声通信における異音抑制やデータ通信におけるエラー訂正能力がどのくらいあるかこの装置の性能として評価が要求されている。この評価を行うために、エラー検出回路には、単に供給されるデータの１スロット内に含まれるエラーデータを検出するのではなく、コーデック回路が行うエラー処理特性に合わせるとともに、様々なビット数でエラーが生じるように変化させたデータの供給が要求される。また、エラー検出回路には、エラー検出する位置をそれぞれの場合に応じて変化させることも要求される。検出位置としては、データ領域および巡回冗長検査（ＣＲＣ：  Ｃｙｃｌｉｃ  Ｒｅｄｕｎｄａｎｃｙ  Ｃｈｅｃｋ）領域等がある。なお、同期パターン領域は、同期検出において相関検出が行われている。
【０００６】
ところで、無線装置の受信において、発生するエラーは、受信する無線信号の品質により変化するものである。したがって、無線装置に対して評価用にたとえば、１ビットのエラーを発生させる無線信号を送信し、無線装置で受信しても、伝播環境の影響を受けると、無線装置は、受信の評価を正しく下すことができない。評価用に無線信号におけるエラーの発生位置の制御やこの無線信号の状態を維持することは非常に難しい。このため、無線装置は、受信における品質の向上を定量的に評価することが難しい。
【０００７】
本発明はこのような従来技術の欠点を解消し、受信における品質の向上を定量的に評価することができる無線装置を提供することを目的とする。
【０００８】
【課題を解決するための手段】
本発明は上述の課題を解決するために、受信した無線信号をディジタル信号に復調する復調手段と、この復調したディジタル信号に対して再生を行う再生モードとこのディジタル信号に対する評価を行う評価モードを切り換えるモード選択手段と、この評価モードにともない供給されるディジタル信号に対して所定のタイミングでこのディジタル信号のレベルを反転させて、このレベル反転によりエラーデータを生成するエラー生成手段とを含むことを特徴とする。
【０００９】
本発明の受信装置は、モード選択手段で評価モードを選択し、エラー生成手段に復調したディジタル信号を供給し、このディジタル信号のレベルを所定のタイミングで反転させてエラー状態を生成することにより、エラーの生じない安定な受信状況下でありながら、周期的なエラーデータを付加することができる。
【００１０】
【発明の実施の形態】
次に添付図面を参照して本発明による受信装置の実施例を詳細に説明する。
【００１１】
本実施例は、本発明の受信装置を受信回路１０に適用した場合である。本発明と直接関係のない部分について図示および説明を省略する。以下の説明で、信号はその現れる接続線の参照番号で指示する。
【００１２】
受信回路１０は、たとえば携帯電話機におけるパーソナルハンディホンシステム（ＰＨＳ：  Ｐｅｒｓｏｎａｌ  Ｈａｎｄｙｐｈｏｎｅ  Ｓｙｓｔｅｍ）で用いる場合の概略的な構成を図１に示す。受信回路１０には、アンテナ１２、復調回路１４、モード選択回路１６、エラー生成部１８、エラー検出回路２０、データレジスタ２２およびＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）コーデック２４が含まれている。
【００１３】
アンテナ１２は、親機に対応する基地局と特定周波数の電波を介して通信を行う送受信における電波エネルギー／電力の変換またはこの逆の変換を行うデバイスである。受信において、変換した電力に対応した受信信号１２０が復調回路１４に供給される。
【００１４】
復調回路１４は、具体的に図示しないが、受信信号１２０に対してダウンコンバートを施し、復調してベースバンド帯域の信号にしてこの信号をディジタル信号する機能を有している。復調回路１４は、このような処理が施されたディジタル信号１４０をモード選択回路１６に出力する。
【００１５】
モード選択回路１６は、供給されるディジタル信号１４０の供給先を選択する選択スイッチ１６０とモード選択回路１６から出力する信号の供給元を選択する選択スイッチ１６２を含んでいる。選択スイッチ１６０は、端子ａと端子ｂで、それぞれ、再生モードと評価モードに対応した供給先に切り換えている。また、選択スイッチ１６２は、端子ｃと端子ｄで、それぞれ再生モードと評価モードに対応した供給元からの信号が供給されるように選択している。
【００１６】
このため、端子ａと端子ｃは、接続されている。選択スイッチ１６０，  １６２は、同期したタイミングで端子ａと端子ｃ、端子ｂと端子ｄが同時に選択されるように選択信号１６４が図示しないシステム制御部からの供給に応じて動作する。
【００１７】
特に、評価モードで選択スイッチ１６０が端子ｂを選択すると、ディジタル信号１４０がエラー生成部１８に供給される。選択スイッチ１６２は、端子ｄを介してエラー生成部１８からのディジタル信号をモード選択回路１６として出力することになる。モード選択回路１６は、モードにかかわらず、選択されたディジタル信号１６６としてエラー検出回路２０およびデータレジスタ２２にそれぞれ供給する。
【００１８】
なお、受信回路１０は、構成を簡略化する場合、モード選択回路１６を設けることなく、選択スイッチ１６０を出力端子、選択スイッチ１６２を入力端子に置き換えてもよい。
【００１９】
エラー生成部１８は、所定のタイミングまたは周期毎に供給されるディジタル信号１４０のビットレベルを反転させる機能を有している。エラー発生方法は、上述した機能に限定されるものでなく、たとえばエラーを付加するレベルを固定的にする方法等もある。この機能を実現させる構成としてエラー生成部１８は、カウンタ１８ａおよび排他的論理和（ＥＸｃｌｕｓｉｖｅ  ＯＲ）ゲート回路１８ｂを含む。本実施例におけるカウンタ１８ａは、あらかじめ設定されているカウント値でキャリアップし、このキャリアップを出力信号として出力する。カウンタ１８ａは巡回的にカウントを再開し、周期的に出力信号を出力する。したがって、カウンタ１８ａは、既知のエラー量を生成するデバイスに相当している。
【００２０】
また、カウンタ１８ａは、一つに限定されるものでなく、複数のカウンタを配設し、それぞれのカウンタに個別のカウント値を設定するようにしてもよい。これにより、より複雑なエラーを付加させることができる。
【００２１】
ＥＸＯＲゲート回路１８ｂには、図２（ａ）に示すように、一端側にディジタル信号１４０が入力され、また、図２（ｂ）に示すように、他端側にカウンタ１８ａからの出力信号１８ｃが入力されている。したがって、エラー生成部１８は、ＥＸＯＲゲート回路１８ｂから図２（ｃ）の矢印Ａが示すようにディジタル信号１４０のレベルを反転させてディジタル信号１８ｄを端子ｄに出力する。ディジタル信号１８ｄは、正常な無線環境にあり、エラーを発生しない状況にありながら、ＥＸＯＲゲート回路１８ｂにより所定のタイミングまたは周期で既知のエラーを含むことになる。これにより、評価モードでモード選択回路１６は、ディジタル信号１８ｄが選択され、ディジタル信号１６６としてエラー検出回路２０およびデータレジスタ２２にそれぞれ送る。
【００２２】
なお、受信回路１０では、前述した簡易な構成を用いる場合、エラー生成部１８を外部に設けてもよい。エラー生成部１８は、上述した構成に限定されるものでなく、レベルを固定して付加するエラーを生成するようにしてもよい。具体的には、レベルをハイに固定する場合、エラー生成部１８はＥＸＯＲゲート回路１８ｂを論理和ゲート（ＯＲ）回路にする。また、レベルをローに固定する場合、ＥＸＯＲゲート回路１８ｂを論理積ゲート（ＡＮＤ）回路にする。
【００２３】
図１に戻って、エラー検出回路２０は、入力したディジタル信号（データ）が含むエラーを検出する機能を有している。エラー検出回路２０は、検出したエラー情報２０ａをＡＤＰＣＭコーデック２４に供給する。
【００２４】
データレジスタ２２は、モード選択回路１６から供給されるディジタル信号１６６をデータとして一時的に格納し、エラー検出処理に要する時間を考慮して保持したデータ２２ａをＡＤＰＣＭコーデック２４に送出する。
【００２５】
ＡＤＰＣＭコーデック２４は、逐次適応量子化および逐次適応予測の少なくとも一方を用いる適応差分パルス符号変調に対応して本実施例の場合、コーデック機能の内、供給されてくる残差のみのデータから音声を復号する機能を有している。ＡＤＰＣＭコーデック２４は、最終的にＤ／Ａ変換を行って音声信号２４ａを出力する。また、本実施例のＡＤＰＣＭコーデック２４は、供給されるエラー情報２０ａに対応して異音の抑制処理を施す。ＡＤＰＣＭコーデック２４では、データ通信を行っている場合、エラー情報２０ａによりデータ２２ａ中のエラー発生箇所に対して誤り訂正が行われる。したがって、ＡＤＰＣＭコーデック２４は、出力信号を測定すると、既知のエラー量に対する改善量を定量的に知ることができる。
【００２６】
なお、異音の抑制処理には、再生音声にリミットをかけたり、再生音声にミュートをかける等があるが、この処理に限定されるものではない。再生音声のレベルがリミットのレベルに達した回数をカウントし、あらかじめ設定した回数を越えたとき、所定の期間、再生音声にミュート処理を施すようにしてもよい。また、誤り訂正の方法も限定されない。
【００２７】
次に受信回路１０の動作を簡単に説明する。モード選択回路１６は、再生モードを選択している場合、復調回路１４からのディジタル信号１４０が選択スイッチ１６０の端子ａ、選択スイッチ１６２の端子ｃを介してエラー検出回路２０およびデータレジスタ２２に供給される。ＡＤＰＣＭコーデック２４は、データレジスタ２２から読み出したデータ２２ａに適応差分パルス符号変調に対応した復号処理を行うとともに、エラー検出に対する処理も行っている。
【００２８】
モード選択回路１６が、評価モードを選択している場合、ディジタル信号１４０が選択スイッチ１６０の端子ｂを介してエラー生成部１８に供給される。また、選択スイッチ１６２は、端子ｂの切り換えに同期して端子ｄに切り換えられ、端子ｄを介してエラー検出回路２０からのディジタル信号１８ｄを出力する。このとき、ディジタル信号１８ｄには、エラー生成部１８で既知量のエラーが付加されている。ディジタル信号１８ｄがディジタル信号１６６としてエラー検出回路２０およびデータレジスタ２２にそれぞれ供給される。ＡＤＰＣＭコーデック２４は、データレジスタ２２から読み出したデータ２２ａに適応差分パルス符号変調に対応した復号処理を行うとともに、エラー検出に対する処理する。
【００２９】
ところで、このような評価を行う例として本発明と異なる分野であるが、特開平７−２２６７３９号公報に記載された分散会議システムがある。この分散会議システムは、厳密な定量的な評価を行うため、会議サーバ内に入力データを異なったデータビットを有する出力データを作成するデータ変更手段あるいは入力データのセルを変更する手段を設け、データに模擬的なビットエラーを人為的に挿入して伝送品質の定量的な評価を可能にしている。ビットエラー挿入位置生成部が８ビットカウンタからなって、ビットエラーを挿入するビット位置を決定することが記載されている。しかしながら、ビットエラー挿入の場合、指定ビットを反転させることが単に記載されているがその具体的な手法は開示されていない。
【００３０】
このように受信回路１０は、正常な電波環境であり、エラーを生じない状況にあって、管理された既知のエラー量に対する異音抑制やエラー訂正を行うことによって、どのくらいの異音や誤り訂正能力があるかをＡＤＰＣＭコーデック２４からの音声信号２４ａやデータに関する出力信号の測定により、受信回路１０の異音抑制効果や訂正効果を定量的に知ることができ、評価することが可能になる。
【００３１】
次に受信回路１０におけるいくつかの変形例について説明する。基本的な構成は図１に同じであることから、共通する参照符号に同じ番号を付して説明を省略する。
【００３２】
〈変形例１〉
受信回路１０は、図３に示すように、エラー生成部１８にカウントレジスタ１８ｅを追加し、カウンタ１８ａにカウント値１８ｆを供給している点が先の実施例と異なっている。カウンタ１８ａは、供給されるカウント値１８ｆに対応できるようにセット機能付を用いるとよい。
【００３３】
カウントレジスタ１８ｅは、カウント値を記憶する小規模な回路である。供給されるカウント値１８ｆは、外部のマイクロコンピュータ等から設定値１８ｇがカウントレジスタ１８ｅに供給される。このようにカウントレジスタ１８ｅを設けることにより、エラーを生じさせる周期を設定してエラー量を制御することができるようになる。
【００３４】
〈変形例２〉
受信回路１０は、図４に示すように、本実施例においてエラー検出回路２０からＣＲＣ領域の期間を示すＣＲＣタイミング信号２０ｂをカウンタ１８ａに供給している点が先の実施例と異なっている。ここで、ＰＨＳにおける信号フォーマットは、あらかじめ規定されている。このフォーマットを考慮に入れると、ディジタル信号１４０は、図５（ａ）に示すように、たとえば同期ワード（同期パターン）領域、受信データ領域の後に設けられたＣＲＣ領域の範囲、すなわちＣＲＣ領域の開始位置と終了位置がわかる。エラー検出回路２０は、この関係を利用して、エラー検出回路２０は、評価モードにて供給されるディジタル信号１６６の内、カウンタ１８ａの動作期間を規定する信号として図５（ｂ）に示すように、ＣＲＣタイミング信号２０ｂを供給する。
【００３５】
カウンタ１８ａは、ＣＲＣタイミング信号２０ｂの供給を受けてカウント動作を開始する。図示しないが、ＣＲＣ範囲にカウンタ１８ａは、出力信号１８ｃをＥＸＯＲゲート回路１８ｂに供給する。ＥＸＯＲゲート回路１８ｂは、ディジタル信号１４０のＣＲＣ領域内にエラービットを付加してディジタル信号１８ｄを出力する。モード選択回路１６はディジタル信号１８ｄをディジタル信号１６６としてエラー検出回路２０に供給する。
【００３６】
エラー検出回路２０は、同期パターンとＣＲＣ領域との間にある受信データに対するエラー検出を行う。ここで、受信データにはエラーがない状況にあるものとする。そして、エラー検出回路２０は、受信データからＣＲＣを生成し、ＣＲＣ領域のデータと比較を行う。エラー検出回路２０は、比較結果が不一致の場合、エラーが検出されたことを示すエラー検出情報２０ａをＡＤＰＣＭコーデック２４に出力する。
【００３７】
このようにスロットデータ内の特定の領域に対してエラーを付加することができる。これにより、ＣＲＣ領域にエラーが発生したことを無線受信において受信したデータに生じたと仮定した既知のエラー量を含むディジタル信号を用いて定量的に知ることができ、再生音声に対する異音抑制効果を評価が可能になる。
【００３８】
〈変形例３〉
受信回路１０は、図６に示すように、前述した変形例１および変形例２を組み合わせた構成である。したがって、受信回路１０は、エラー検出するＣＲＣ領域に供給するカウント値１８ｆを設定することができる。エラー状況を自由に設定することができる点で変形例２より優れている。
【００３９】
〈変形例４〉
本実施例における受信回路１０には、図７に示すように、同期パターン検出回路２６が新たに配設されている。そして、同期パターン検出回路２６は、同期ワードが表す同期パターン領域の期間を検出する。同期パターン検出回路２６は、この検出および以後のデータ列が所定のビット数が受信データの領域になることがわかっているので、受信データタイミング信号２６ａをカウンタ１８ａに供給している点が先の実施例と異なっている。
【００４０】
同期パターン検出回路２６は、たとえば、あらかじめ設定された同期ワードと供給されるディジタル信号１６６との比較を行い、パターンの完全な一致に応じて検出の可否を判断している。同期確定後、同期パターン検出回路２６は、同期パターンの開始が容易にわかる。同期パターン検出回路２６は、ＰＨＳの場合、検出に用いるスロットが制御用物理スロットと通信用物理スロットのいずれかに応じて同期パターンの終了位置、すなわち同期パターンの範囲を変えている。前者の同期ワードは３２ビットであり、後者の同期ワードは１６ビットであり、いずれかの同期ワードが設定されているからである。さらに、同期パターン検出回路２６は、同期パターン以降受信データの範囲が上述したようにスロットの種類に応じて１０８ビットと１８０ビットのいずれかが規定により続くから、受信データの範囲を規定する受信データタイミング信号２６ａを出力することができる。
【００４１】
このように規定されたディジタル信号１４０は、図８（ａ）に示すように、同期パターン、受信データおよびＣＲＣを含むスロットを１単位に供給されている。同期パターン検出回路２６での同期パターン検出処理により同期パターンが検出され、同期パターンが終了すると、同期パターン検出回路２６は、図８（ｂ）に示すように受信データの範囲にわたってハイレベルの受信データタイミング信号２６ａをカウンタ１８ａに出力する。カウンタ１８ａは、受信データタイミング信号２６ａが供給されると、カウンタを動作状態にしてカウントを開始し、信号レベルがハイの期間中カウントを継続させる。
【００４２】
カウンタ１８ａは、受信データ領域内に所定の周期でエラービットを生成するタイミングのパルス信号１８ｃをＥＸＯＲゲート回路１８ｂに供給する。ＥＸＯＲゲート回路１８ｂは、供給されたパルス信号１８ｃに応じてエラービットを付加する。エラー検出回路２０は、ディジタル信号１６６として入力し、エラー検出処理を行う。エラー検出回路２０でエラー検出されると、エラー検出回路２０は、図５（ｃ）に示すエラー検出情報２０ａを出力する。このとき、受信回路１０がエラー発生のない電波環境にあり、ＣＲＣ領域には、エラーが含まれず、正しいデータが供給されている。
【００４３】
この仮定の基で、受信回路１０は、既知のエラー量を供給し、エラー検出に応じてＡＤＰＣＭコーデック２４が出力する再生音声やデータを測定することにより、受信データのエラーに対する再生音声の異音抑制効果やデータ訂正能力を定量的に調べて、評価することができる。
【００４４】
〈変形例５〉
受信回路１０は、図９に示すように、変形例４の構成に変形例１の構成を加え、エラー領域選択部２８を配設している点で先の実施例と異なっている。エラー領域選択部２８は、選択スイッチ２８０を有し、端子ｅにはＣＲＣタイミング信号２０ｂが供給され、端子ｆには受信データタイミング信号２６ａが供給されている。選択スイッチ２８０には、図示しないシステム制御部から選択信号２８２が供給されている。選択スイッチ２８０は、選択信号２８２に応じて上述したタイミング信号のいずれか一方をカウンタ１８ａに供給する。
【００４５】
受信回路１０の動作は、変形例１の構成を追加することにより、エラーの付加量をも制御することができ、異なるエラー量に対する再生音声の異音抑制効果等も評価することができるようになる。また、受信回路１０は、エラー領域選択部２８を設けてカウンタ１８ａに供給するタイミング信号を選択することにより、エラー領域の選択に応じたエラーの付加が容易に行うことが可能になる。
【００４６】
このように組み合わせることにより、各領域に応じたタイミングでエラーを付加し、エラー検出を行い、このエラー検出に応じてＡＤＰＣＭコーデック２４が出力する再生音声やデータを測定することにより、ＣＲＣのエラーおよび受信データのエラーのいずれかに対して再生音声の異音抑制効果やデータ訂正能力を定量的に調べて、評価することができる。
【００４７】
なお、本実施例は、ＰＨＳの場合を例に挙げて説明したが、この例に限定されるものでない。本発明の受信装置は、上述した例の他、あらかじめデータ構造のフォーマットが規定されている携帯電話機や受信装置等に適用できることは言うまでもない。
【００４８】
以上のように構成することにより、エラーの発生しない安定した受信状態下において所定のタイミングまたは周期的にエラービットを受信したディジタル信号に付加することができ、このディジタル信号の再生にともなう音声信号の異音抑制効果やデータ訂正能力等を定量的に評価することができる。
【００４９】
また、カウント値の設定を可能にすることにより、エラーを付加する量を制御することができ、異なるエラー量に対しても再生した信号の品質を評価することができる。
【００５０】
そして、エラーを付加する範囲、たとえばＣＲＣ領域や受信データの領域のように範囲を限定的に指定して付加することにより、各範囲における定量的な評価を可能にする。カウント値を設定する構成を加えると、異なるエラー量に対する評価ができるようになる。
【００５１】
受信回路１０にエラー領域選択部２８を設けると、領域の選択に応じた期間中だけカウンタ１８ａをアクティブに動作させ、評価の要求に対応することができる。
【００５２】
【発明の効果】
このように本発明の受信装置によれば、モード選択手段で評価モードを選択し、エラー生成手段に復調したディジタル信号を供給し、このディジタル信号のレベルを所定のタイミングで反転させてエラー状態を生成して、エラーの生じない安定な受信状況下でありながら、周期的なエラーデータを付加して再生することにより、エラーにともない施す抑圧効果またはエラー訂正効果を定量的に評価することができる。
【図面の簡単な説明】
【図１】本発明の受信装置を適用した受信回路の概略的な構成を示すブロック図である。
【図２】図１の受信回路におけるエラー生成のタイミング関係を示すチャートである。
【図３】図１の受信回路における変形例１の概略的な構成を示すブロック図である。
【図４】図１の受信回路における変形例２の概略的な構成を示すブロック図である。
【図５】図４の受信回路において供給するディジタル信号やエラー検出情報に対するＣＲＣタイミング信号の関係を示すタイミングチャートである。
【図６】図１の受信回路における変形例３の概略的な構成を示すブロック図である。
【図７】図１の受信回路における変形例４の概略的な構成を示すブロック図である。
【図８】図７の受信回路において供給するディジタル信号やエラー検出情報に対する受信データタイミング信号の関係を示すタイミングチャートである。
【図９】図１の受信回路における変形例５の概略的な構成を示すブロック図である。
【符号の説明】
１０  受信回路
１２  アンテナ
１４  復調回路
１６  モード選択回路
１８  エラー生成部
１８ａ  カウンタ
１８ｂ  排他的論理和（ＥＸＯＲ）ゲート回路
２０  エラー検出回路
２２  データレジスタ
２４  ＡＤＰＣＭコーデック
【図１】
0003577307.tif 000002
【図２】
0003577307.tif 000003
【図３】
0003577307.tif 000004
【図４】
0003577307.tif 000005
【図５】
0003577307.tif 000006
【図６】
0003577307.tif 000007
【図７】
0003577307.tif 000008
【図８】
0003577307.tif 000009
【図９】
0003577307.tif 000010